(57)【要約】【課題】  簡単な構造で、多様な包装袋や被包装物に対応可能な、袋詰め装置を提供する。【解決手段】  昇降が可能な状態で支持され、下部に開閉可能な排出口を備えたホッパ１と、指示軸を中心に旋回可能な吸引パッド支持部材の先端に取り付けられ、複数枚が積み重ねられた包装袋の積層体の、最上部に配された包装袋個片の開口部近傍を吸引する吸引パッド９と、吸引パッド９により、ほぼ垂直に支持された包装袋１２の開口部にエアを吹き付けるブロアを一体に構成する。ホッパの排出口は、閉じた状態では尖端形状なので、包装袋１２の開口部がわずかに開いた状態でも挿入可能で、包装袋１２のホッパの排出口を開き、被包装物を包装袋に充填することができる。【選択図】図１
2020059551.tif 000002
【特許請求の範囲】
【請求項１】
垂直方向に移動可能に設けられてなり、上側に物品の投入口を備え、下側に閉じた状態では尖端形状となる開閉手段を有する前記物品の排出口を備えたホッパと、  折り畳まれて平積されている複数の包装袋の、最上部の前記包装袋の開口部近傍を吸引し、前記ホッパの前記排出口の直下に、前記開口部を配置させる包装袋搬送手段と、  前記排出口の直下に配置された前記包装袋の前記開口部を開放する開口部開放手段を有することを特徴とする、袋詰め装置。
【請求項２】
前記包装袋搬送手段は、ポンプに接続されてなる吸引パッドにより。前記包装袋の表面を吸引する機能を有することを特徴とする、請求項１に記載の袋詰め装置。
【請求項３】
前記開口部開口手段は、前記包装袋の開口部に空気を吹き込む機能を有することを特徴とする、請求項１または請求項２に記載の袋詰め装置。
【発明の詳細な説明】
【技術分野】
【０００１】  本発明は包装袋の開口部を開放し、被包装物を内部に挿入する装置に関するもので、特に小型で簡略な構造を備え、手動により操作する装置に関する。
【背景技術】
【０００２】  スーパーマーケットなどの小売店では、一部を除いて、業務の効率を考慮して、食品などを、いわゆる量り売りで販売することはなく、様々な形態のパッケージとして販売している。その中には、例えば魚の切身や肉製品のように、発泡スチロール製のトレイに載せた状態で、ラッピングフィルムで覆った形態のものもあるが、袋詰めで販売される商品が多い。【０００３】  袋詰めの作業は、大量生産されるものでは自動装置を用いるが、少量多品種の商品には、対応しきれないという問題がある。そして、包装用袋は折り畳まれ、かつ、個片の間に殆ど隙間のない、緊密な積層体の状態で、供給される。【０００４】  このため、まず積層体から個片を剥離するのが困難で、包装袋の開口部を拡げる作業も簡単ではない。この問題は、包装用に多用されている、ポリプロピレンなどの高分子材料のフィルムからなる包装袋では、表面が平滑で摩擦が少ないため、一層顕著になる。【０００５】  このような課題に対処する技術として、例えば特許文献１には、包装袋を複数枚積み重ねた積層体の、最も上に配されている包装袋を１枚ずつ取り出して、被包装物を充填する装置に供給可能な包装袋供給装置が開示されている。しかし、ここに開示されている装置は、構造が複雑で、多量の処理に適しているが、処理の対象が少量多品種の場合の、包装袋のサイズの変更などへの対応で改善の余地がある。
【先行技術文献】
【特許文献】
【０００６】
【特許文献１】特開２０１４−１１８１７３号公報
【発明の概要】
【発明が解決しようとする課題】
【０００７】  本発明の課題は、前記の問題に鑑み、簡単な構造で、多様な包装袋や被包装物に対応可能な袋詰め装置を提供することにある。
【課題を解決するための手段】
【０００８】  本発明は、前記の課題解決のため、簡単な構造で、包装袋の取り出しと被包装物を包装袋へ充填する機構を一体化することを鋭意検討した結果なされたものである。【０００９】  本発明は、垂直方向に移動可能に設けられてなり、上側に物品の投入口を備え、下側に閉じた状態では尖端形状となる開閉手段を有する前記物品の排出口を備えたホッパと、折り畳まれて平積されている複数の包装袋の、最上部の前記包装袋の開口部近傍を吸引し、前記ホッパの前記排出口の直下に、前記開口部を配置させる包装袋搬送手段と、前記排出口の直下に配置された前記包装袋の前記開口部を開放する開口部開放手段を有することを特徴とする、袋詰め装置である。【００１０】  また、本発明は、前記包装袋搬送手段が、ポンプに接続されてなる吸引パッドにより。前記包装袋の表面を吸引する機能を有することを特徴とする、前記の袋詰め装置である。【００１１】  また、本発明は、前記開口部開口手段が、前記包装袋の開口部に空気を吹き込む機能を有することを特徴とする、前記の袋詰め装置である。
【発明の効果】
【００１２】  本発明に係る袋詰め装置は、積層された包装袋の、最も上に配された個片の開口部近傍に吸引パッドを当接させて、開口部に空気を吹き込む簡単な機構と、被包装物を包装袋に投入するためのホッパが一体化された構造なので、特に装置の設定などを変えなくとも、多様な包装袋と被包装物に対応できる。
【図面の簡単な説明】
【００１３】
【図１】本発明に係る袋詰め装置の一例における、包装袋に搬送手段を当接させた状態を示す図。
【図２】本発明に係る袋詰め装置の一例における、包装袋をホッパ下部に持ち上げた状態を示す図。
【図３】本発明に係る袋詰め装置の一例における、被包装物をホッパから包装袋に装入可能な状態を示す図。
【発明を実施するための形態】
次に、本発明に実施の形態について、具体的な図を参照しながら説明する。
【００１４】  図１は、本発明に係る袋詰め装置の一例における、包装袋１２に搬送手段の吸引パッド９を当接させた状態を示す図である。ここに示した袋詰め装置のホッパ１は、図示しない被包装物を装入するためのホッパ開口部１ａと、被包装物を包装袋１２に装入するためのホッパ排出口を構成する、ホッパ排出口開閉部１ｂ及びホッパ排出口固定部１ｃを有し、ホッパ排出口開閉部１ｂの開閉は、把手１ｄを用いて、手動で行う。
【００１５】  吸引パッド９は、吸引パッド支持部材１０の先端に配されていて、吸引パッド支持部材１０の内部には、制御装置収納筐体１３の内部に収納されたポンプに接続されるパイプが内蔵され、吸引パッド９の内部を負圧にして、積層された包装袋１２の最上部の個片を吸引する。なお、吸引パッド９の上下動は、吸引パッド旋回把手１２を用い、吸引パッド支持部材１０が取り付けられた回転軸を中心に、手動で旋回させることで行い、包装袋１２の開口部は、図における左側に配される。
【００１６】  図２は、本発明に係る袋詰め装置の一例における、包装袋１２ａをホッパ１の下部に持ち上げた状態を示す図である。ここに示したように、包装袋１２ａは開口部を図における上にして、ほぼ垂直に配され、ブロア７から噴射されるエアが、図における右斜め上の方向から吹き付けられ、包装袋１２ａの開口部が開く。
【００１７】  図３は、本発明に係る袋詰め装置の一例における、被包装物１２ａをホッパ１から包装袋１２ａに装入可能な状態を示す図である。包装袋１２ａの開口部が開いた状態で、ホッパ１を降下させ、ホッパ排出口開閉部１ｂがホッパ排出口固定部１ｃに接した状態、つまりホッパ１の排出口が閉じた状態で、排出口の先端を包装袋１２ａの開口部に挿入する。図１、図２に示したように本発明に係るホッパ１は、ホッパ排出口を閉じた状態では、下端が尖端形状なので、包装袋１２ａの開口部が少しだけ開放された状態でも、包装袋内部に挿入できる。
【００１８】  ホッパの排出口を包装袋１２ａの開口部に挿入した後、把手１ｄの操作でホッパ排出口を開き、図示しない被包装物を包装袋１２ａの内部に挿入するが、被挿入物は、ホッパ排出口が閉じた状態で、予めホッパ開口部１ａに装入しておくことが可能で、ホッパ開口部１ａを開いてから挿入することも可能である。
【００１９】  ホッパ１の昇降は、ホッパ支持部２が、レール状のホッパ昇降支持部材３ｂに沿って摺動することによって行われる。また、ホッパ昇降部３ａには、滑車４が設けられ、滑車４を介して昇降するホッパ昇降用ワイヤ５の両端には、ホッパ支持部２とバランス錘６が取り付けてあるので、ホッパ１の円滑な昇降が可能となっている。
【００２０】  吸引パッド９の吸引力は、１枚の包装袋１２ａを持ち上げる程度に調整されているので、被包装物を収納した包装袋は、手で簡単に吸引パッド９から分離できるので、開口部を封着する工程に送ることができる。
【００２１】  以上に説明したように、本発明によれば、簡単な構造で、少量多品種の商品の袋詰めに適した装置を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２２】１・・・ホッパ      １ａ・・・ホッパ開口部１ｂ・・・ホッパ排出口開閉部      １ｃ・・・ホッパ排出口固定部１ｄ・・・把手      ２・・・ホッパ支持部３ａ・・・ホッパ昇降部      ３ｂ・・・ホッパ昇降支持部材４・・・滑車      ５・・・ホッパ昇降用ワイヤ６・・・バランス錘      ７・・・ブロア８・・・支柱      ９・・・吸引パッド１０・・・吸引パッド支持部材      １１・・・吸引パッド旋回把手１２・・・包装袋      １３・・・制御装置収納筐体
【図１】
2020059551.tif 000003
【図２】
2020059551.tif 000004
【図３】
2020059551.tif 000005